(57)【要約】【課題】大小様々なケーブルドラムを対象として、容易な操作でケーブルドラムを回転可能に支持し、ケーブル引出し作業を容易に行うことができるケーブルドラム支持装置を提供すること。【解決手段】ケーブルドラムＡの中心穴Ａ１に回転軸１を挿入し、ケーブルドラムＡを回転可能に支持するケーブルドラム支持装置において、ケーブルドラムＡを挟んで対向するように１対の回転軸支持台２を立設し、回転軸支持台２に、回転軸１を装着する軸支持部３を高さ方向に複数設置するとともに、回転軸支持台２を昇降可能に支持する昇降機構４を設ける。【選択図】図１
2008222425.tif 000002
【特許請求の範囲】
【請求項１】
ケーブルドラムの中心穴に回転軸を挿入し、該ケーブルドラムを回転可能に支持するケーブルドラム支持装置において、ケーブルドラムを挟んで対向するように１対の回転軸支持台を立設し、該回転軸支持台に、回転軸を装着する軸支持部を高さ方向に複数設置するとともに、回転軸支持台を昇降可能に支持する昇降機構を設けたことを特徴とするケーブルドラム支持装置。
【請求項２】
回転軸の両端に、該回転軸を回動可能に支持する軸受を設けたことを特徴とする請求項１記載のケーブルドラム支持装置。
【請求項３】
昇降機構により下降したケーブルドラムの側板と接触し、該ケーブルドラムの回転を制動する滑り止め部材を床側に設けたことを特徴とする請求項１又は２記載のケーブルドラム支持装置。
【発明の詳細な説明】
【技術分野】
【０００１】
本発明は、ドラム巻きしたケーブルドラムからケーブルを引き出す際に使用するケーブルドラム支持装置に関し、特に、大小様々なケーブルドラムを対象として、容易な操作でケーブルドラムを回転可能に支持し、ケーブル引出し作業を容易に行うことができるケーブルドラム支持装置に関するものである。
【背景技術】
【０００２】
例えば、ワイヤや電線等のケーブルは、巻芯と側板（フランジ）を備えたケーブルドラムに巻回されており、このケーブルドラムをケーブルドラム支持装置で回転可能に支持することにより、ケーブルの繰り出しを容易にしている。
【０００３】
従来、公知のケーブルドラム支持装置としては、１対のジャッキの上部に軸受を備え、ケーブルドラムの巻芯内に挿通し嵌着した横軸を、これらの軸受に螺着することによりケーブルドラムを回転可能に支持する構造としたものがある（特許文献１参照）。
また、ケーブルドラムの巻芯内に横軸を通すことによって回転可能に支持し、ケーブル引出し作業終了時には揺動可能に垂下させた揺動枠が降下し、その制動部がケーブルドラムの側板に接することで慣性回転を停止させる構造としたものもある（特許文献２参照）。
【０００４】
上記のような従来のケーブルドラム支持装置は、後者の昇降機構を用いない装置では、ケーブルドラムを横軸に通す際に持ち上げる必要があり、また、前者の昇降機構を用いる装置でも、使用できるケーブルドラムの大きさが昇降機構の大きさ及びストロークによってある程度限定されるという問題があった。
【特許文献１】特開２００２−２４１０５０号公報
【特許文献２】特開２００６−１６０４６５号公報
【発明の開示】
【発明が解決しようとする課題】
【０００５】
本発明は、上記従来のケーブルドラム支持装置が有する問題点に鑑み、大小様々なケーブルドラムを対象として、容易な操作でケーブルドラムを回転可能に支持し、ケーブル引出し作業を容易に行うことができるケーブルドラム支持装置を提供することを目的とする。
【課題を解決するための手段】
【０００６】
上記目的を達成するため、本発明のケーブルドラム支持装置は、ケーブルドラムの中心穴に回転軸を挿入し、該ケーブルドラムを回転可能に支持するケーブルドラム支持装置において、ケーブルドラムを挟んで対向するように１対の回転軸支持台を立設し、該回転軸支持台に、回転軸を装着する軸支持部を高さ方向に複数設置するとともに、回転軸支持台を昇降可能に支持する昇降機構を設けたことを特徴とする。
【０００７】
この場合において、回転軸の両端に、該回転軸を回動可能に支持する軸受を設けることができる。
【０００８】
また、昇降機構により下降したケーブルドラムの側板と接触し、該ケーブルドラムの回転を制動する滑り止め部材を床側に設けることができる。
【発明の効果】
【０００９】
本発明のケーブルドラム支持装置によれば、ケーブルドラムの中心穴に回転軸を挿入し、該ケーブルドラムを回転可能に支持するケーブルドラム支持装置において、ケーブルドラムを挟んで対向するように１対の回転軸支持台を立設し、該回転軸支持台に、回転軸を装着する軸支持部を高さ方向に複数設置するとともに、回転軸支持台を昇降可能に支持する昇降機構を設けることから、ケーブルドラムの使用時には、ケーブルドラムの中心穴に回転軸を挿入して回転軸支持台の間に転がし入れ、回転軸を適当な高さの軸支持部に装着し、昇降機構を駆動して回転軸支持台を上昇させるだけで、ケーブルドラムのセッティングが完了する。
このため、大きなケーブルドラムでも容易に支持することができ、また、回転軸支持台に軸支持部を複数設けたことにより、大小様々なケーブルドラムを支持することができる。
これにより、必要な各種ケーブルを巻きつけているケーブルドラムが大小様々である作業現場において、１台のケーブルドラム支持装置でケーブル引出し作業を行うことができ、また、クレーン等がなくても一人で容易にケーブル引出し作業を行うことができる。
【００１０】
この場合、回転軸の両端に、該回転軸を回動可能に支持する軸受を設けることにより、軸支持部の構成を簡略にしてコストの低減を図るとともに、回転軸の軸支持部への装着作業を容易にすることができる。
【００１１】
また、昇降機構により下降したケーブルドラムの側板と接触し、該ケーブルドラムの回転を制動する滑り止め部材を床側に設けることにより、ケーブル引出し作業の終了時に、回転軸支持台を下降させることによってケーブルドラムの側板と滑り止め部材を接触させ、ケーブルドラムの慣性回転を停止させることができる。
【発明を実施するための最良の形態】
【００１２】
以下、本発明のケーブルドラム支持装置の実施の形態を、図面に基づいて説明する。
【実施例１】
【００１３】
このケーブルドラム支持装置は、ケーブルドラムＡの中心穴Ａ１に回転軸１を挿入し、該ケーブルドラムＡを回転可能に支持するものであり、ケーブルドラムＡを挟んで対向するように１対の回転軸支持台２を立設し、該回転軸支持台２に、回転軸１を装着する軸支持部３を高さ方向に複数設置するとともに、回転軸支持台２を昇降可能に支持する昇降機構４を設けている。
【００１４】
ケーブルドラムＡは、電線ケーブル（図示省略）が巻回された所定径の巻芯Ａ２と、巻芯Ａ２のフランジとなる側板Ａ３とを備え、円形をなす側板Ａ３の中心に、回転軸１が挿入される中心穴Ａ１を備えている。
【００１５】
回転軸１は、軸支持部３から独立しており、軸本体１１には丸鋼を用い、両端の軸支持部３に接する箇所が軸受１２によって滑らかに回転するものとしている。
具体的には、回転軸１は取り扱いやすいようにアルミ製とし、両端の回転部分は、軸本体と筒状のアルミ材１３との間に樹脂製滑り軸受１２を挟むことで、無給油で簡易な構造としている。
【００１６】
回転軸支持台２は、ケーブルドラムＡを挟んで対向するように柱状のものが１対が立設されており、鉛直方向に昇降できるように、昇降機構４により支持されている。
各回転軸支持台２には、回転軸１を装着する軸支持部３が同じ高さで鉛直方向に複数設置されている。
軸支持部３は、上部が開放されたフック状をなし、これにより、ケーブルドラムＡに挿入された回転軸１の着脱を容易にしている。
【００１７】
昇降機構４は、回転軸支持台２の下部を昇降可能に支持するガイド部４１と、回転軸支持台２の中間部に連結され、回転軸支持台２を昇降駆動する電動油圧シリンダ４２とを備えている。
電動油圧シリンダ４２は、回転軸支持台２ごとに１台ずつ配設されており、それぞれが同期して動作するとともに、安全のために離れた位置から昇降操作を行えるようにしている。
電動油圧シリンダ４２は、上昇ボタンと下降ボタンのみで回転軸支持台２の昇降操作を行うことができ、また、小型の装置で大型のケーブルドラムに対応することができる。
【００１８】
一方、昇降機構４が設置されたベース５の下には、昇降機構４により下降したケーブルドラムＡの側板Ａ３と接触し、該ケーブルドラムＡの回転を制動する滑り止めシート６が配設されている。
このように、ベースや床面に滑り止めシート６を敷き、ケーブルの引出し作業終了時に回転軸支持台２を下降させることにより、ケーブルドラムＡの側板Ａ３と滑り止めシート６を接触させ、ケーブルドラムＡの慣性回転を停止させることができる。
【００１９】
また、ベース５には、ケーブルドラムＡの側板Ａ３を外側から押さえ、ケーブルドラムＡの左右の移動を規制する１対のガイドローラ７が配設されている。
ガイドローラ７は、ケーブルドラムＡが作業中に左右に移動して、昇降機構４や回転軸支持台２に接触することを防止する。
【００２０】
また、使用中に軸支持部３から回転軸１が脱落した場合を考慮して、ベース５に着脱可能な安全バー８を設けている。
ベース５は、ケーブルドラムＡの搬入・搬出側が開口するコ字状を呈しているが、この安全バー８を装着して段差を設けることにより、ケーブルドラムＡが意図せず転がっていくのを防止する。
なお、ケーブルドラムＡの搬入・搬出時には、安全バー８を取り外すことにより、ケーブルドラムＡの移動を容易にする。
【００２１】
以下、電線ケーブルが巻かれているケーブルドラムＡから、電線ケーブルを必要分切り取る作業について説明する。
電動油圧シリンダ４２の電源を入れる。ケーブルドラムＡの中心穴Ａ１に回転軸１を通し、ケーブルドラムＡを転がして回転軸支持台２の間に搬入する。
回転軸１が軸支持部３に乗る位置になるようにケーブルドラムＡを置き、昇降機構４を動作させ、ケーブルドラムＡが床から十分離れるまで回転軸支持台２を上昇させる。
【００２２】
次に、ケーブルドラムＡから電線ケーブルを必要分引き出し、その後、回転軸支持台２を下降させ、ケーブルドラムＡの側板Ａ３と滑り止めシート６を接触させ、ケーブルドラムＡの慣性回転を停止させる。
そして、電線ケーブルを切り取った後、回転軸１が軸支持部３から外れるまで回転軸支持台２を下降させ、ケーブルドラムＡを転がしてケーブルドラム支持装置から外に搬出し、回転軸１を抜き取って、ケーブルドラムＡを元の場所へ転がして戻す。
【００２３】
このように、本実施例のケーブルドラム支持装置によれば、ケーブルドラムＡの中心穴Ａ１に回転軸１を挿入し、該ケーブルドラムＡを回転可能に支持するケーブルドラム支持装置において、ケーブルドラムＡを挟んで対向するように１対の回転軸支持台２を立設し、該回転軸支持台２に、回転軸１を装着する軸支持部３を高さ方向に複数設置するとともに、回転軸支持台２を昇降可能に支持する昇降機構４を設けることから、ケーブルドラムＡの使用時には、ケーブルドラムＡの中心穴Ａ１に回転軸１を挿入して回転軸支持台２の間に転がし入れ、回転軸１を適当な高さの軸支持部３に装着し、昇降機構４を駆動して回転軸支持台２を上昇させるだけで、ケーブルドラムＡのセッティングが完了する。
このため、大きなケーブルドラムでも容易に支持することができ、また、回転軸支持台２に軸支持部３を複数設けたことにより、大小様々なケーブルドラムを支持することができる。
これにより、必要な各種ケーブルを巻きつけているケーブルドラムＡが大小様々である作業現場において、１台のケーブルドラム支持装置でケーブル引出し作業を行うことができ、また、クレーン等がなくても一人で容易にケーブル引出し作業を行うことができる。
【００２４】
この場合、回転軸１の両端に、該回転軸１を回動可能に支持する軸受を設けることにより、軸支持部３の構成を簡略にしてコストの低減を図るとともに、回転軸１の軸支持部３への装着作業を容易にすることができる。
また、昇降機構４により下降したケーブルドラムＡの側板Ａ３と接触し、該ケーブルドラムＡの回転を制動する滑り止めシート６を床側に設けることにより、ケーブル引出し作業の終了時に、回転軸支持台２を下降させることによってケーブルドラムＡの側板Ａ３と滑り止め部材を接触させ、ケーブルドラムＡの慣性回転を停止させることができる。
【００２５】
以上、本発明のケーブルドラム支持装置について、その実施例に基づいて説明したが、本発明は上記実施例に記載した構成に限定されるものではなく、その趣旨を逸脱しない範囲において適宜その構成を変更することができる。
【産業上の利用可能性】
【００２６】
本発明のケーブルドラム支持装置は、大小様々なケーブルドラムを対象として、容易な操作でケーブルドラムを回転可能に支持し、ケーブル引出し作業を容易に行うという特性を有していることから、例えば、必要な各種ケーブルを巻きつけているケーブルドラムが大小様々である作業現場において、１台のケーブルドラム支持装置でケーブル引出し作業を行う用途に好適に用いることができる。
【図面の簡単な説明】
【００２７】
【図１】本発明のケーブルドラム支持装置の一実施例を示す側面図である。
【図２】同正面図である。
【図３】同平面図である。
【図４】ケーブルドラムを外した同ケーブルドラム支持装置の側面図である。
【図５】回転軸の一例を示す部分断面図である。
【符号の説明】
【００２８】
Ａ    ケーブルドラム
Ａ１  中心穴
Ａ２  巻芯
Ａ３  側板
１    回転軸
１１  軸本体
１２  軸受
１３  筒状アルミ材
２    回転軸支持台
３    軸支持部
４    昇降機構
４１  ガイド部
４２  電動油圧シリンダ
５    ベース
６    滑り止めシート
７    ガイドローラ
８    安全バー
【図１】
2008222425.tif 000003
【図２】
2008222425.tif 000004
【図３】
2008222425.tif 000005
【図４】
2008222425.tif 000006
【図５】
2008222425.tif 000007